(57)【要約】  エアゾール容器用アクチュエータ１は、球状の転動体３と、それを転動可能に保持する凹部４１を有するホルダー４と、を具備する。ホルダー４の底部にはエアゾール容器２の内容物の導出路７を有するステム接続部４２が設けられてステム２３に嵌装され、導出路７が凹部４１内に形成された噴出孔７７に連通する。凹部４１における底部近傍の内表面と、開口縁に沿う内表面とに、それぞれ複数個ずつの球面状隆起８１、８２が、隆起高さを揃えて互いに離隔して設けられる。導出路７には、内容物の噴出圧力を低減させるミドルオリフィスが設けられる。これらにより、転動体３が常時、軽快に転動し、内容物が一定の供給量で安定的に供給され、転動体３の飛び出しも防止される。
2019163183.tif 000002
【特許請求の範囲】
【請求項１】
球状の外表面を有する転動体と、
球状の内表面を有する凹部内に前記転動体を、その一部分が露出する状態で転動可能に保持するホルダーと、
を具備して、
内容物が加圧充填されたエアゾール容器に装着され、
前記エアゾール容器に突設されたステムの押込みによって噴出する前記内容物が前記ホルダーの凹部内に供給されて前記転動体の外表面に付着するように構成された
ロールオン型のエアゾール容器用アクチュエータにおいて、
前記ホルダーの底部に前記内容物の導出路を有するステム接続部が設けられて、
前記ステム接続部が前記ステムに嵌装されるとともに、
前記導出路が前記凹部内に形成された噴出孔に連通され、
前記凹部における底部近傍の内表面と、前記凹部の開口縁に沿う内表面とに、それぞれ複数個ずつの球面状隆起が、隆起高さを揃えて互いに離隔して設けられた、
ことを特徴とするエアゾール容器用アクチュエータ。
【請求項２】
請求項１に記載されたエアゾール容器用アクチュエータにおいて、
前記導出路には、
前記ステムの外径に合致する内径の大径孔部と、
前記大径孔部に段部を介して接続する、前記ステムの孔径よりも細い中径孔部と、
前記中径孔部に段部を介して接続するテーパ孔部と、
前記テーパ孔部の縮径端に、該縮径端と同径で接続する小径孔部と、
が設けられ、
前記小径孔部が前記凹部内に開口して噴出孔となされている、
ことを特徴とするエアゾール容器用アクチュエータ。
【請求項３】
請求項１または２に記載されたエアゾール容器用アクチュエータにおいて、
前記凹部の底部近傍に形成される球面状隆起は、前記噴出孔を中心とする仮想円に沿って等間隔で配置されている、
ことを特徴とするエアゾール容器用アクチュエータ。
【請求項４】
請求項１または２に記載されたエアゾール容器用アクチュエータにおいて、
前記凹部の底部近傍に形成される球面状隆起は、前記凹部の開口面に直交して前記凹部の球心を通る軸線と前記凹部の内表面との交点を中心とする仮想円に沿って等間隔で配置されている、
ことを特徴とするエアゾール容器用アクチュエータ。
【請求項５】
請求項１〜４のいずれか一項に記載されたエアゾール容器用アクチュエータにおいて、
前記ホルダーは、前記凹部の内表面全体が前記噴出孔を除いて隙間なく液密的に連続するように一体成形されている、
ことを特徴とするエアゾール容器用アクチュエータ。
【発明の詳細な説明】
【技術分野】
【０００１】
本発明は、ロールオン型のエアゾール容器用アクチュエータに関する。
【背景技術】
【０００２】
体臭抑制剤やサンスクリーン剤等の皮膚外用剤を、球状の転動体を介して皮膚に塗布するロールオン型の皮膚外用製品が市販されている。この種の皮膚外用製品によれば、内容物を所望の部位に手を汚すことなく的確に塗布することができるとともに、皮膚の押圧によるマッサージ効果も得られる。この種の皮膚外用製品に用いられるロールオン型の塗布用具は、ノンエアゾール式とエアゾール式の２種類に大別することができる。【０００３】
ノンエアゾール式の塗布用具は、球状の転動体を転動可能に保持するホルダーが容器本体の開口部に嵌合されており、容器本体の傾斜や揺れによって内容物が転動体の外表面に供給されるようになっている。その転動体を皮膚に押付けて転動させることで、内容物を対象部位に塗布することができる。したがって、ノンエアゾール式の塗布用具にあっては、内容物が外気に露出することを防ぐため、少なくとも不使用時に転動体とホルダーとの隙間を閉じる手段が必要になる。【０００４】
一方、エアゾール式の塗布用具は、球状の転動体と、その転動体を回動可能に保持するホルダーとを備えたアクチュエータが、アルミやブリキ等の金属製耐圧容器（以下、「エアゾール容器」という。）から突出するステムに嵌装されるようにしてエアゾール容器に取り付けられている。そのアクチュエータがステムを押込むとエアゾールバルブが開弁され、エアゾール容器に充填された内容物がステムから噴出し、ホルダーに設けられた噴出孔を通って転動体の外表面に付着する。その転動体を皮膚に押当てて転動させることで、内容物を対象部位に塗布することができる。【０００５】
このようなアクチュエータを具備するエアゾール式の塗布用具によれば、エアゾール容器のバルブによって内容物が噴出することは防がれているので、ノンエアゾール式の塗布用具のように、少なくとも不使用時に転動体とホルダーとの隙間を閉じる必要はない。そのため、アクチュエータの設計上の自由度が高くなる。しかし、そのようなアクチュエータについても、例えば転動体の転動性をさらに向上させるとか、内容物の噴出量を一定にして液垂れを防ぐ、あるいは噴出の勢いで転動体が飛び出すのを防ぐ、等々の課題をきめ細かく改善することが求められており、それらを十分に満足し得るアクチュエータは未だ実用化されていないのが現状である。【０００６】
例えば特許文献１には、構成部品の耐久性を向上させつつ、使用後の廃棄処理が容易で、快適なマッサージ効果が得られるとともに、不用意な液垂れを防止することを解決課題としたエアゾール容器が提案されている。そのエアゾール容器には、球状の転動体（ボール）を、その一部を露出させた状態で転動可能に保持するホルダーと、耐圧容器から突出するステムに係合して転動体をホルダーとの協働下で弾性的に支持する受座とが取り付けられている。受座には、ステム先端の噴出孔の領域を除いて、ステムを転動体から離隔させる弾性隔壁が設けられている。弾性隔壁は上向きに凸となる断面アーチ状の受面を有しており、その上面には複数の突起が弾性隔壁と一体に形成されている。このような構成によれば、弾性隔壁が、その受面および突起によって転動体を弾性的に支持するから、転動体の上下運動が大きく確保されて、快適なマッサージ効果が得られるとともに、不用意な液垂れを防止する効果も得られる、とのことである。
【先行技術文献】
【特許文献】
【０００７】
【特許文献１】特開２００１−２４０１６３号公報
【発明の概要】
【発明が解決しようとする課題】
【０００８】
前記特許文献１に開示されたエアゾール容器は、転動体がホルダーと受座との間に収容され、受座に設けられた弾性隔壁の弾性変形によって上下に大きく動き得る状態で保持される。つまり、転動体の押圧具合によって、ホルダーの内表面と転動体の外表面との隙間が様々に変化することになる。そのため、拡がった隙間に内容物が過剰に供給され過ぎて、ホルダーの開口縁から内容物が溢れたり、転動体を強く押込むと弾性隔壁が大きく変形し、ステム先端の噴出孔周りの隙間が塞がれて内容物が十分に供給されなかったりするなど、内容物の供給量にムラが生じるおそれがある。また、ホルダー内での転動体の偏りによって弾性隔壁から受ける付勢力にバラつきが生じ、転動体の転動性が不規則に変化してしまうことも懸念される。弾性隔壁による付勢力が強すぎると、転動体がホルダーから飛び出してしまうおそれもある。【０００９】
さらに、受座は、ホルダーよりも弾性変形し易い樹脂材料によってホルダーとは別体に成形されることになるので、ホルダーと受座との接合箇所を液密的に封止することが難しくなり、その隙間から液垂れが生じるおそれもある。【００１０】
本発明は、これらの問題に着目してなされたものであり、転動体が常時、一定の感触で軽快に転動するとともに、内容物が一定の供給量で安定的に供給され、さらに、転動体の飛び出しも確実に防止し得るエアゾール容器用アクチュエータを提供することを目的とする。
【課題を解決するための手段】
【００１１】
前述の目的を達成するため、本発明のエアゾール容器用アクチュエータは、球状の外表面を有する転動体と、球状の内表面を有する凹部内に前記転動体を、その一部分が露出する状態で転動可能に保持するホルダーと、を具備して、内容物が加圧充填されたエアゾール容器に装着され、前記エアゾール容器に突設されたステムの押込みによって噴出する前記内容物が前記ホルダーの凹部内に供給されて前記転動体の外表面に付着するように構成されたロールオン型のエアゾール容器用アクチュエータにおいて、前記ホルダーの底部に前記内容物の導出路を有するステム接続部が設けられて、前記ステム接続部が前記ステムに嵌装されるとともに、前記導出路が前記凹部内に形成された噴出孔に連通され、前記凹部における底部近傍の内表面と、前記凹部の開口縁に沿う内表面とに、それぞれ複数個ずつの球面状隆起が、隆起高さを揃えて互いに離隔して設けられた、との基本的構成を採用する。【００１２】
この基本的構成によれば、ホルダーの凹部における底部近傍の内表面と、開口縁に沿う内表面とに、それぞれ同じ隆起高さで複数個ずつ設けられた球面状隆起の働きで、凹部の内表面と転動体の外表面との隙間が、凹部内全体にわたって常時、一定に保持される。これにより、内容物の噴出量が安定し、転動体の外表面に対する内容物の付着量が均等化される。また、球面状隆起は、その形状から、押しつぶす向きにはきわめて弾性変形しにくいので、転動体を強く押込んだ場合でも、転動体が凹部内の噴出孔を塞栓して内容物が噴出しにくくなるのを防ぐことができる。【００１３】
球面状隆起と転動体の外表面とは緩い凸曲面同士の点接触になるので、これによって転動体の転動が妨げられることはなく、転動体は常に一定の軽快さで円滑に転動する。球面状隆起には方向性がないから、転動方向による転動性の不均等も生じない。さらに、凹部の開口縁に沿って設けられた球面状隆起は、転動体が凹部の開口面から飛び出すことを防ぐ作用もなす。【００１４】
この発明において、凹部の底部近傍に形成される球面状隆起は、前記噴出孔を中心とする仮想円上に等間隔で配置されているのが好ましい。あるいは、前記凹部の開口面に直交して前記凹部の球心を通る軸線と前記凹部の内表面との交点を中心とする仮想円上に等間隔で配置されているのが好ましい。【００１５】
さらに本発明のエアゾール容器用アクチュエータは、前記導出路に、前記ステムの外径に合致する内径の大径孔部と、前記大径孔部に段部を介して接続する、前記ステムの孔径よりも細い中径孔部と、前記中径孔部に段部を介して接続するテーパ孔部と、前記テーパ孔部の縮径端に、該縮径端と同径で接続する小径孔部と、が設けられ、前記小径孔部が前記凹部内に開口して噴出孔となされている、との付加的構成を採用する。【００１６】
すなわち、この構成は、エアゾール容器に突設されたステムと、ホルダーに形成した噴出孔とを接続する導出路に減圧のためのミドルオリフィスを設けたものである。このミドルオリフィスの作用により、内容物がステムから噴出する際の勢いが弱められて、転動体の飛び出しを、より確実に防ぐことができる。【００１７】
さらに、本発明は、前記ホルダーにおける前記凹部の内表面全体が前記噴出孔を除いて隙間なく液密的に連続するように一体成形されている、との付加的構成を採用する。これにより、凹部内からアクチュエータの内側へ内容物が漏出することも防止することができる。
【発明の効果】
【００１８】
前述のように構成される本発明のエアゾール容器用アクチュエータによれば、転動体を保持するホルダーの凹部の内表面に設けられた複数個の球面状隆起が、凹部の内表面と転動体の外表面との隙間を常時、一定に保持するので、内容物の噴出量が安定して、転動体の外表面に対する内容物の付着量が均等化される。また、球面状隆起と転動体の外表面との点接触によって転動体の転動性が向上する。さらに、凹部の開口縁に沿って設けられた球面状隆起は、転動体が凹部の開口面から飛び出すのを防止する。【００１９】
また、本発明のエアゾール容器用アクチュエータは、エアゾール容器に突設されたステムとホルダーに形成した噴出孔とを接続する導出路に、内容物の噴出圧力を減じるミドルオリフィスが形成されるように構成されているので、これにより、転動体の飛び出しが一層、生じにくくなる。
【図面の簡単な説明】
【００２０】
【図１】本発明の第１実施形態に係るエアゾール容器用アクチュエータの外観斜視図である。
【図２】前記エアゾール容器用アクチュエータの縦断面図である。
【図３】図２の要部を部分的に拡大した断面図である。
【図４】図３の要部をさらに拡大して導出路の構成を示した断面図である。
【図５】前記エアゾール容器用アクチュエータの転動体を取り除いてホルダーの内面を表した斜視図である。
【図６】前記エアゾール容器用アクチュエータのＡ−Ａ断面図である。
【図７】前記エアゾール容器用アクチュエータにおける、球面状隆起の配置形態に係る変形例を示すＡ−Ａ断面図である。
【図８】図７のエアゾール容器用アクチュエータのＢ−Ｂ断面図である。
【図９】本発明の第２実施形態に係るエアゾール容器用アクチュエータの外観斜視図である。
【図１０】前記エアゾール容器用アクチュエータの縦断面図である。
【図１１】図１０の要部を部分的に拡大した断面図である。
【図１２】前記エアゾール容器用アクチュエータの転動体を取り除いてホルダーの内面を表した斜視図である。
【図１３】前記エアゾール容器用アクチュエータのＣ−Ｃ断面図である。
【発明を実施するための形態】
【００２１】
以下、本発明の実施の形態について、図面を参照しつつ説明する。
【００２２】
（第１実施形態）
図１〜図６は、本発明の第１実施形態に係るエアゾール容器用アクチュエータ（以下、単に「アクチュエータ」という。）を示す。このアクチュエータ１は、内容物が加圧充填されたエアゾール容器２の上部に装着されている。なお、以下の説明において、部位・部材の位置関係や向きを示す際には、エアゾール容器２を直立させた図１に示す状態を基準にして、上下方向および水平方向を特定することとする。
【００２３】
エアゾール容器２は、図２に示すように、容器本体２１の上部にマウンテンカップ２２をクリンチして密封されている。マウンテンカップ２２の内側中央部にはエアゾールバルブを内蔵したハウジング（図示せず）が固定され、そのハウジング内に筒状のステム２３が挿入されて、ステム２３の上部がエアゾール容器２の上方に付勢状態で突設されている。このステム２３をエアゾール容器２の内側に押込むとエアゾールバルブが開栓されて、エアゾール容器２内に充填された内容物がステム２３の上端開口から噴出する。
【００２４】
なお、本発明は、エアゾール容器２の加圧機構やエアゾールバルブの詳細な構造等を要部とするものではないので、それらに関しては従来公知の技術的手段を適宜、組み合わせるなどして実施することができる。また、エアゾール容器２に充填される内容物としては、例えば体臭抑制剤やサンスクリーン剤、消炎鎮痛剤等が想定されるが、内容物の種類や組成に関しても、本発明は特にそれを限定するものではない。
【００２５】
例示のアクチュエータ１は、球状の滑らかな外表面を有する転動体３と、その転動体３を転動自在に保持するホルダー４と、ホルダー４を転動体３の押圧に応じて上下動可能に保持する肩カバー５と、肩カバー５の上方に被せられてホルダー４および転動体３を覆うキャップ６と、の４部材によって構成されている。
【００２６】
ホルダー４には、球状の滑らかな内表面を有する凹部４１が、上向きに開口するように形成されている。この凹部４１は、内表面全体が後述する噴出孔７７を除いて隙間なく液密的に連続するように一体成形されている、この凹部４１内に転動体３が圧入され、転動体３の一部分が上方に露出する状態で、転動可能に保持される。
【００２７】
ホルダー４の底部には、内容物の導出路７を有するステム接続部４２と、転動体３の押圧によるホルダー４の上下動を安定させる短円筒状の遊挿筒部４３とが設けられている。導出路７の詳細な構成については後述する。
【００２８】
また、ホルダー４の側部には、ホルダー４を肩カバー５に対して離脱しないように留め付けるための係合突起４４が、ホルダー４の周方向における４個所から下向きに突設されている。
【００２９】
一方、肩カバー５には、ホルダー４の遊挿筒部４３に外側から挿装されてホルダー４の上下動を案内する短円筒状のガイド筒部５１と、その外側を包囲する内側周壁部５２と、さらにその外側を包囲する外側周壁部５３とが設けられている。そして、内側周壁部５２の下縁がマウンテンカップ２２の外周縁に嵌装されて、肩カバー５がエアゾール容器２に固定される。
【００３０】
内側周壁部５２と外側周壁部５３との間には係合溝５４が形成されており、この係合溝５４にホルダー４の係合突起４４部が挿入されて、上下動可能に、かつ、容易には抜け出さないように保持される。この状態で、ホルダー４のステム接続部４２がステム２３に嵌装され、転動体３およびホルダー４の押下げに応じてステム２３が押込まれるようになる。
【００３１】
本発明の要部は、ホルダー４のステム接続部４２に設けられた導出路７の形状と、凹部４１の内表面の複数箇所に設けられた球面状隆起８にある。それらの詳細を図３〜図６に示す。
【００３２】
図３および図４に拡大して示すように、導出路７には、下から上に向かって順に、ステム２３の外径に合致する内径の大径孔部７１と、ステム２３の軸方向に直交する平坦な段部７２を介して大径孔部７１に接続する、ステム２３の孔径よりも細い中径孔部７３と、中径孔部７３に段部７４を介して接続する、上向きに縮径するテーパ孔部７５と、テーパ孔部７５の縮径端（上端）に、その縮径端と同径で接続する小径孔部７６と、が設けられており、小径孔部７６が凹部４１内に開口して噴出孔７７となされている。
【００３３】
このように、導出路７が段階的に縮径するように形成されていることで、ステム２３から噴出する内容物の噴出圧力が低減される。噴出方向に直交するように設けられた２か所の段部７２、７４は、噴出流がぶつかる壁として作用し、噴出圧力の低減に効果的に寄与する。かかる効果が得られやすい小径孔部７６の具体的な直径としては０．２〜２．０ｍｍ、特に好ましくは０．３〜１．０ｍｍ程度である。
【００３４】
導出路７に連通された凹部４１には、その底部近傍の内表面と、開口縁に沿う内表面とに、それぞれ複数個ずつの球面状隆起８１、８２が設けられている。
【００３５】
個々の球面状隆起８１、８２は、正面形状が円形で、薄い半球状（レンズ状）の滑らかな隆起面を有している。具体的な寸法としては、直径が０．５〜５．０ｍｍ、特に好ましくは１．０〜２．５ｍｍ程度であり、隆起高さは、０．１〜１．５ｍｍ、特に好ましくは０．２〜０．８ｍｍ程度である。複数個、設けられている全ての球面状隆起８１、８２は、それらの隆起高さが揃えられているのが好ましいが、直径については必ずしもその限りではない。
【００３６】
球面状隆起８１、８２は、ホルダー４を構成する合成樹脂材料と同一の材料によって、ホルダー４と一体的に成形されている。
【００３７】
凹部４１の開口縁に沿って設けられる球面状隆起８１は、開口縁の周方向において略等間隔となるように例えば６個程度、配置されている。
【００３８】
また、凹部４１の底部近傍に設けられる球面状隆起８２は、最底部に形成された噴出孔７７を中心とする仮想円に沿って略等間隔で、３個程度配置されている。「底部近傍」に相当する仮想円の大きさは、凹部４１の球心４５と噴出孔７７とを通る垂直軸線からの拡がり角θが４〜２０度、特に好ましくは５〜１５度程度になる大きさである。
【００３９】
このようにしてホルダー４の凹部４１の内表面に設けられた複数個の球面状隆起８１、８２は、凹部４１の内表面と転動体３の外表面との隙間を、凹部４１内全体にわたって常時、一定に保持する作用をなす。隙間の大きさが一定に保持されることで、噴出孔７７から噴出される内容物は、球面状隆起８１、８２の間を通って凹部４１の内表面に均等に拡がり、転動体３の外表面に好適に付着する。また、球面状隆起８１、８２は、押しつぶす向きにはきわめて変形しにくい形状を有しているから、転動体３を強く押込んだ場合でも、転動体３が凹部４１内の噴出孔７７を塞栓して内容物が噴出しにくくなるのを防ぐことができる。
【００４０】
さらに、球面状隆起８１、８２と転動体３の外表面とは緩い凸曲面同士の点接触になるので、これによって転動体３の転動が妨げられることはなく、転動体３は常に一定の軽快さで円滑に転動する。球面状隆起８１、８２には方向性がないから、転動方向による転動性の不均等も生じない。さらに、凹部４１の開口縁に沿って設けられた球面状隆起８１は、転動体３が凹部４１の開口面から飛び出すのを防ぐ作用もなす。
【００４１】
球面状隆起８１、８２の配置については、凹部４１の底部近傍と開口縁沿いのそれぞれにおいて、周方向に３個〜９個ずつ配置されるのが好ましい。２個以下の場合は転動体３の安定性が失われて、転動性が悪化しやすい。一方、１０個以上になると、噴出された内容物が凹部４１の内表面に沿って拡がる際の妨げになりやすい。
【００４２】
また球面状隆起８１、８２は、凹部４１の底部近傍と開口縁沿いのそれぞれにおいて、略等間隔で配置されるのが好ましい。個々の間隔に多少のバラつきはあっても差し支えないが、内容物の拡がりを妨げないように、少なくとも互いに一定の距離以上、離れるのが好ましい。
【００４３】
図７〜図８は、凹部４１の底部近傍に設けられる球面状隆起８２の配置形態に係る変形例を示す。球面状隆起８２は、噴出孔７７を中心とする内外二重の仮想円に沿って、それぞれ３個ずつ配置されている。内側の仮想円の大きさは、凹部４１の球心４５と噴出孔７７とを通る垂直軸線からの拡がり角θ１が約６度になる大きさであり、外側の仮想円の大きさは、前記垂直軸線からの拡がり角θ２が約１５度になる大きさである。内側および外側のいずれも、３個の球面状隆起が、噴出孔７７を中心として上面視１２０度の中心角をなすように等間隔で配置されているが、内側の３個と外側の３個とは、噴出孔７７を中心とする配置方向が互いに上面視６０度ずつずれている。また、球面状隆起８２の隆起高さは、内側、外側ともに同じであるが、直径は内側よりも外側のほうが大きくなっている。
【００４４】
このような配置形態は、転動体３の押圧によって凹部４１の底部近傍に圧力が集中するのを分散させるのに有利である。また、噴出孔７７に近い内側の球面状隆起８２の直径を、外側のそれよりも小さくすることで、噴出孔７７から噴出される内容物が拡がる際の妨げになりにくくしている。
【００４５】
（第２実施形態）
図９〜図１３は、本発明の第２実施形態に係るアクチュエータ１を示す。このアクチュエータ１は、前述の第１実施形態に示したものと同じエアゾール容器２に装着されるものであるので、エアゾール容器２についての説明は省略する。そのほか、前述の第１実施形態と機能または作用が共通する構成要素には同一の符号を付して、その説明を簡略化する。
【００４６】
このアクチュエータ１は、前述の第１実施形態と同様に、球状の外表面を有する転動体３と、球状の内表面を有する凹部４１内に転動体３を、その一部分が露出する状態で転動可能に保持するホルダー４と、ホルダー４を転動体３の押圧に応じて上下動可能に保持する肩カバー５と、を具備するが、ホルダー４の凹部４１が斜め上向きに開口している点で第１実施形態と相違している。具体的には、ホルダー４の凹部４１の開口面が、エアゾール容器２を直立させた状態において水平面に対し約１０〜８０度、特に好ましくは２０〜４５度程度、傾斜するように形成されている。
【００４７】
ホルダー４は、その外側に突設されたヒンジアーム４６の軸部４７を、肩カバー５の内側周壁部５２の内側に設けられたヒンジ受部５５に軸着されることにより、上下方向に揺動し得るように保持されている。その状態で、ホルダー４の底部に設けられたステム接続部４２がエアゾール容器２のステム２３に嵌装され、転動体３およびホルダー４の押下げに応じてステム２３が押込まれる。ステム接続部４２に設けられる導出路７の詳細な構成は、第１実施形態（図４）と同様である。
【００４８】
斜めに開口するホルダー４の外側を包囲するようにして、肩カバー５の上部にホルダーカバー９が取り付けられる。さらに、ホルダーカバー９にキャップ６が被せられて、転動体３の露出部分が覆われる。
【００４９】
このアクチュエータ１においても、凹部４１の内表面に複数個の球面状隆起８１、８２が設けられるが、ホルダー４の凹部４１が斜め上向きに開口する関係で、球面状隆起８１、８２の配置が、第１実施形態とは多少、相違する。球面状隆起８１、８２の形状や寸法については、第１実施形態と共通である。
【００５０】
斜めになった凹部４１の開口縁には、その開口縁に沿って、例えば６個程度の球面状隆起８１が略等間隔で配置される。また、凹部４１の底部近傍に設けられる球面状隆起８２は、最底部に形成された噴出孔７７を中心とする仮想円ではなく、凹部４１の開口面に直交して凹部４１の球心４５を通る軸線と凹部４１の内表面との交点４８を中心とする仮想円に沿って、例えば３個程度、略等間隔で配置されている。この形態でも、仮想円の大きさは、凹部４１の球心４５と前記交点４８とを通る軸線からの拡がり角θが４〜２０度、特に好ましくは５〜１５度程度になる大きさである。
【００５１】
このような実施形態によっても、ホルダー４の凹部４１の内表面と転動体３の外表面との隙間が一定に保持されることとなるので、内容物の噴出量が安定して、転動体３の外表面への拡がりが良好になる。また、転動体３の転動性が向上し、さらに、転動体３が凹部４１の開口面から飛び出すのも防ぐことができる。
【００５２】
以上、本発明の実施形態を２種類、例示したが、本発明の技術的範囲は、例示した実施形態によって限定的に解釈されるべきものではなく、請求の範囲の記載に基づいて概念的に解釈されるべきものである。本発明の実施に際しては、請求の範囲において具体的に特定していない部材・部品の形状や構造、位置関係、接合形態等を、本発明の要旨を逸脱しない範囲内で適宜、改変して実施することができる。
【符号の説明】
【００５３】
１  アクチュエータ
２  エアゾール容器
２１  容器本体
２２  マウンテンカップ
２３  ステム
３  転動体
４  ホルダー
４１  凹部
４２  ステム接続部
４３  遊挿筒部
４４  係合突起
４５  球心
４６  ヒンジアーム
４７  軸部
４８  交点
５  肩カバー
５１  ガイド筒部
５２  内側周壁部
５３  外側周壁部
５４  係合溝
５５  ヒンジ受部
６  キャップ
７  導出路
７１  大径孔部
７２  段部
７３  中径孔部
７４  段部
７５  テーパ孔部
７６  小径孔部
７７  噴出孔
８１  球面状隆起
８２  球面状隆起
９  ホルダーカバー
【図１】
2019163183.tif 000003
【図２】
2019163183.tif 000004
【図３】
2019163183.tif 000005
【図４】
2019163183.tif 000006
【図５】
2019163183.tif 000007
【図６】
2019163183.tif 000008
【図７】
2019163183.tif 000009
【図８】
2019163183.tif 000010
【図９】
2019163183.tif 000011
【図１０】
2019163183.tif 000012
【図１１】
2019163183.tif 000013
【図１２】
2019163183.tif 000014
【図１３】
2019163183.tif 000015
【国際調査報告】
2019163183.tif 000016
2019163183.tif 000017
2019163183.tif 000018
2019163183.tif 000019